(57)【要約】糸３に任意の量の墨汁を均一に付着させて、所望の濃さの墨打ちを行うことができる墨壷を提供する。【課題】【解決手段】ケース１に糸巻２が回転可能に収納され、ケース１内に画成され墨汁が封入される墨汁タンク１１Ｃと、墨汁タンク１１Ｃ内の墨汁を糸巻２に巻装された糸３に供給するポンプ部５と、糸巻２からの糸３の引き出し・巻き戻し経路に充填された墨汁吸収体６とを備え、墨汁タンク１１Ｃ内の墨汁を、ポンプ部５によって、糸巻２に巻装された糸３に直接供給し、糸巻２からの糸３の引き出し過程で、この糸３が墨汁吸収体６に摺接することによって、墨汁の付着量が均される。【選択図】図３
2006043801.tif 000002
【特許請求の範囲】
【請求項１】
ケースと、このケースに回転可能に収納された糸巻と、前記ケース内に画成され墨汁が封入される墨汁タンクと、前記糸巻に巻装されケース外部へ引き出され先端に糸止着具が繋着された糸と、前記墨汁タンク内の墨汁を前記糸巻に巻装された糸に供給するポンプ部と、前記糸巻からの糸の引き出し・巻き戻し経路に充填された墨汁吸収体とを備えることを特徴とする墨壷。
【請求項２】
ポンプ部が、ケース外部へ露出しポンプ室を画成する可撓性を有するダイアフラムと、墨汁タンクと前記ポンプ室とを連通する流路に介在して前記墨汁タンクから前記ポンプ室への墨汁の流れのみを許容する吸入弁と、ケースの糸巻収納部と前記ポンプ室とを連通する流路に介在して前記ポンプ室から前記糸巻収納部への墨汁の流れのみを許容する吐出弁からなることを特徴とする請求項１に記載の墨壷。
【発明の詳細な説明】
【技術分野】
【０００１】
本発明は、木工あるいは建築において、墨汁を付着させた糸を張設して墨打ちを行う墨壷に関する。
【背景技術】
【０００２】
木工や建築における墨打ち作業で使用される墨壷の一種として、従来から、例えば下記の特許文献１に開示された構造のものが知られている。
【特許文献１】実開平７−１１２８４号公報
【０００３】
この墨壷は、ケース内に糸巻及び墨室が設けられ、糸巻に巻かれた糸が、墨汁を沁み込ませた墨汁浸透部材が充填された墨室内を通って、ケースの一端に形成された糸繰り出し口から外部へ繰り出され、糸の先端に、この糸を墨打ち起点に止着するためのかるこが繋着された構造を備える。糸巻には、これを糸の巻き取り方向へ回転させるための巻き取りばねが内蔵され、また、ケースには、墨汁タンクと、この墨汁タンクから墨汁浸透部材へ墨汁を補給するための手動ポンプが設けられている。
【０００４】
この墨壷による墨打ち作業においては、まず、かるこを相手材の墨打ち起点に止着してから、ケースを移動させることによって糸を引き出すと、この糸には、墨室内を通る過程で、墨汁浸透部材との接触によって墨汁が付着するので、この糸に適当なテンションを与えた状態で、墨打ち対象面に向けて手指ではじくことによって、直線状の墨線を転写することができる。また、墨汁浸透部材に沁み込ませた墨汁の量が少なくなったら、手動ポンプの操作によって、墨汁タンク内の墨汁を墨汁浸透部材へ補給する。
【発明の開示】
【発明が解決しようとする課題】
【０００５】
上記従来構造の墨壷によれば、糸の引き出し過程で墨汁を十分かつ均一に付着させるには、墨汁浸透部材に、含有可能量いっぱいに墨汁を補給する。ところがこの場合、墨汁の補給当初は、糸への墨汁の付着量が多すぎて、必要以上に太い墨打ち線が転写されてしまうばかりか、墨汁の消費量が無駄に多くなってしまう問題がある。また、何度か墨打ち作業を繰り返すことによって、墨汁浸透部材の墨汁含有量が少なくなって来ると、糸への墨汁付着量が減少かつ不均一となるので、墨打ち線が薄くなるばかりでなく、線が斑になってしまいやすい。
【０００６】
更に、上記従来構造の墨壷によれば、新品における最初の使用時には、糸に十分な量の墨汁を付着させるために、糸の引き出し及び巻き戻しを何度か繰り返す必要があり、その作業が面倒であった。
【０００７】
本発明は、以上のような点に鑑みてなされたものであって、その技術的課題は、糸に任意の量の墨汁を均一に付着させて、所望の濃さの墨打ちを行うことができる墨壷を提供することにある。
【課題を解決するための手段】
【０００８】
上述した技術的課題を有効に解決するための手段として、請求項１の発明に係る墨壷は、ケースと、このケースに回転可能に収納された糸巻と、前記ケース内に画成され墨汁が封入される墨汁タンクと、前記糸巻に巻装されケース外部へ引き出され先端に糸止着具が繋着された糸と、前記墨汁タンク内の墨汁を前記糸巻に巻装された糸に供給するポンプ部と、前記糸巻からの糸の引き出し・巻き戻し経路に充填された墨汁吸収体とを備えることを特徴とするものである。
【０００９】
すなわち、請求項１の発明に係る墨壷によれば、墨汁タンク内の墨汁を、ポンプ部によって、ケース内の糸巻に巻装された糸に直接供給し、糸巻からの糸の引き出し過程で、この糸が墨汁吸収体に摺接することによって、墨汁の付着量が均される。また、ポンプ部の操作によって、糸への墨汁の供給量を任意に調整することができる。
【００１０】
請求項２の発明に係る墨壷は、請求項１に記載のポンプ部が、ケース外部へ露出しポンプ室を画成する可撓性を有するダイアフラムと、墨汁タンクと前記ポンプ室とを連通する流路に介在して前記墨汁タンクから前記ポンプ室への墨汁の流れのみを許容する吸入弁と、ケースの糸巻収納部と前記ポンプ室とを連通する流路に介在して前記ポンプ室から前記糸巻収納部への墨汁の流れのみを許容する吐出弁からなるものである。
【００１１】
すなわち、請求項２の構成によるポンプ部は、ダイアフラムを手指で反復変形させることによって、ポンプ室が拡縮され、これに伴って、墨汁タンク内の墨汁が吸入弁、ポンプ室、及び吐出弁を介して、ケースの糸巻収納部内の糸巻に巻装された糸に供給される。
【発明の効果】
【００１２】
請求項１及び請求項２の発明に係る墨壷によれば、糸巻に巻装された糸に墨汁を直接供給して、糸巻からの糸の引き出し過程で墨汁吸収体により墨汁の付着量を均すので、濃淡が均一で鮮明な墨打ち線を転写することができ、しかもポンプ部の操作によって、墨打ち線の濃度や墨汁の消費量を任意に調整することができる。
【発明を実施するための最良の形態】
【００１３】
以下、本発明に係る墨壷の好ましい実施の形態について、図面を参照しながら説明する。図１は本発明に係る墨壷の一側面図、図２は他側面図、図３は図１におけるIII−Ｏ−III’線に沿って切断した断面図、図４は、糸巻及びばねチャージ部の構造を示す断面図、図５は図３におけるＶ−Ｖ’線に沿って切断した断面図である。
【００１４】
これらの図に示されるように、本発明に係る墨壷は、ケース１と、このケース１内に回転可能に収納された糸巻２と、ケース１内に画成され墨汁が封入される墨汁タンク１１Ｃと、糸巻２に巻回されケース１の外部へ引き出されて先端にかるこ７が繋着された糸３と、ばねチャージ部４と、墨汁タンク１１Ｃ内の墨汁を糸巻２に巻装された糸３に供給するポンプ装置５と、ケース１の糸案内部１１Ｂに充填された墨汁吸収体６とを備える。ポンプ装置５は、請求項１に記載されたポンプ部に相当し、かるこ７は、請求項１に記載された糸止着具に相当する。
【００１５】
詳しくは、ケース１は、図１、図２及び図５に示されるように、合成樹脂で成形されたケース本体１１と、トップ部材１２と、リテーナ１３からなり、ケース本体１１には、糸巻収納部１１Ａと、その前方（図１における右側）の糸案内部１１Ｂと、後方（図１における左側）の墨汁タンク１１Ｃと、手指を挿入可能な環状のホルダ１１Ｄが形成されている。
【００１６】
ケース本体１１は、糸案内部１１Ｂと墨汁タンク１１Ｃが、糸巻収納部１１Ａの両側で互いに鈍角をなすように延びており、その外観は、ホルダ１１Ｄに人差し指を挿入した状態で、墨汁タンク１１Ｃから糸巻収納部１１Ａにかけての部分を、あたかも拳銃を握るように、片手でしっかり握ることができる形状となっている。
【００１７】
トップ部材１２は耐摩耗性に優れた合成樹脂材で成形されたものであって、糸案内部１１Ｂの先端に取り付けられ、その内周は糸繰り出し口１２ａとなっている。このトップ部材１２には、糸繰り出し口１２ａから引き出した糸３を相手材に押し付けるための糸押え１２ｂが形成されている。
【００１８】
図３及び図４に示されるように、リテーナ１３は、糸巻収納部１１Ａの開口部に、所定角度だけ回転させることによって互いに拘束又は釈放される掛合部１１ｂ，１３ａを介して着脱自在に設けられ、この糸巻収納部１１Ａ内に糸巻２を保持するものである。
【００１９】
糸巻２は、外周に糸３を巻回するボビン２１と、その一側に同心的に配置されると共に全周がボビン２１に一体的に溶着Ｗｄされたばねケース２２と、このばねケース２２内に収納されて糸巻２を糸３の巻き取り回転方向に付勢する巻き取りばね２３と、リテーナ１３の外側に配置された巻き取りハンドル２４とからなる。巻き取りハンドル２４は円盤状を呈するものであって、手指で回転操作するための複数の指掛け凹部２４ａが形成されており、また、巻き取りハンドル２４の軸心部は、リテーナ１３の内周に開設された軸孔１３ｂに挿通されたばねケース２２の中心軸に、ビス２５を介して結合されている。そしてこれらの部材からなる糸巻２は、リテーナ１３を取り外すことによって、このリテーナ１３と共に糸巻収納部１１Ａから取り出すことができる。
【００２０】
ばねチャージ部４は、図３及び図４に示されるように、糸巻２のばねケース２２の内周に同心的かつ相対回転可能な状態に組み込まれたばね芯４１と、ケース本体１１におけるリテーナ１３と反対側の側壁１１１の外部にばね芯４１と同心的に配置された円盤状のチャージハンドル４２と、前記側壁１１１に開設された軸孔１１１ａに挿通されたチャージハンドル４２の中心軸４２ａに、ビス４４で固定されたクラッチ部材４３と、チャージハンドル４２に設けられたレバー４５とを備える。糸巻２におけるばね収納部２２ａに収納された巻き取りばね２３は、外周側の一端が糸巻２におけるボビン２１の筒状張り出し部２１ａに固定されると共に、内周側の他端が、ばね芯４１に固定されている。したがって、巻き取りばね２３は、糸巻２とばね芯４１の相対回転によって蓄勢又は弛緩するものである。
【００２１】
ばね芯４１の一端には円盤状のクラッチ盤４１ａが形成されており、クラッチ部材４３は、ケース本体１１の側壁１１１との間に圧縮状態に配置されたコイルスプリング４６によってクラッチ盤４１ａに押し付けられ、このクラッチ盤４１ａに対して、巻き取りばね２３の蓄勢方向にのみ掛合するワンウェイクラッチを構成している。
【００２２】
ばねチャージ部４におけるレバー４５は、チャージハンドル４２とケース本体１１の側壁１１１との間に配置され、長手方向中間部分が、チャージハンドル４２に、その軸心と直交する方向へ延びる支持軸４５ｃを中心としてシーソー運動可能な状態に支持されている。レバー４５の一端には、チャージハンドル４２の円周方向一箇所に開設された指掛け孔４２ｂ内に露出した操作端部４５ａが形成されており、他端に、ケース本体１１の側壁１１１側へ向けて突出した被係止部４５ｂが形成されており、この被係止部４５ｂとチャージハンドル４２との間には、コイルスプリング４７が適宜圧縮状態で配置されている。
【００２３】
一方、ケース本体１１の側壁１１１には、チャージハンドル４２をその中心軸４２ａの周りに回転させた時に、これと一体的に回転するレバー４５の被係止部４５ｂの軌跡と対応する円弧状に延び、糸巻２の巻き取り方向と反対の方向、言い換えれば巻き取りばね２３を弛緩させる方向の端部へ向かって漸次深くなり、その最深部が前記被係止部４５ｂと掛合可能な段差状を呈するスパイラル溝１１２が形成されている。
【００２４】
糸巻２におけるボビン２１の内周面と、ばね芯４１におけるクラッチ盤４１ａの外周部からボビン２１の内周へ延びる円筒部４１ｂとの間は、ゴム状弾性材料からなるパッキン２６で密封されており、ケース本体１１における糸巻収納部１１Ａの開口部と、これに着脱自在に設けられたリテーナ１３の外周部との間は、ゴム状弾性材料からなるＯリング１４で密封されており、リテーナ１３の内周の軸孔１３ｂと、これに挿通されたばねケース２２の中心軸との間は、ゴム状弾性材料からなるＯリング２７で密封されており、ケース本体１１の側壁１１１に開設された軸孔１１１ａと、これに挿通されたチャージハンドル４２の中心軸４２ａとの間は、ゴム状弾性材料からなるＯリング４８で密封されている。
【００２５】
図３及び図５に一点鎖線で示されるように、糸案内部１１Ｂの内室には、スポンジ、綿、あるいはフェルト等からなる墨汁吸収体６が充填されている。糸案内部１１Ｂは、請求項１に記載された糸３の引き出し・巻き戻し経路に相当するものであり、その上部開口１１５は、ゴム状弾性材料からなる蓋１５で開閉可能となっている。この蓋１５は、前記開口１１５に密嵌されるシール部１５ａを有し、一端１５ｂが軸１５ｃを介してケース本体１１に固定されている。
【００２６】
図３及び図５に示されるように、糸巻収納部１１Ａの内室と、糸案内部１１Ｂの内室との間を仕切る仕切壁１１３には糸挿通部１１４が設けられており、糸巻２におけるボビン２１に巻回された糸３は、糸案内部１１Ｂを通って、この糸案内部１１Ｂ内の墨汁吸収体６と接触しながら、トップ部材１２の糸繰り出し口１２ａからケース１の外部へ導出される。なお、図３及び図５における参照符号１６は、ステンレス鋼等の金属材料からなるガイドピンで、糸案内部１１Ｂ内を通る糸３は、このガイドピン１６に接触する位置を経由するようになっている。
【００２７】
ケース１における墨汁タンク１１Ｃに設けられたポンプ装置５は、ダイアフラム５１と、ポンプハウジング５２と、これに取り付けられた吸入弁５３及び吐出弁５４と吸入ノズル５５及び吐出ノズル５６からなる。
【００２８】
詳しくは、図３及び図５に示されるように、墨汁タンク１１Ｃにおける糸巻収納部１１Ａと反対側の端壁に開設されたポンプ装着孔１１６には、ポンプハウジング５２及びその外側を包囲するダイアフラム５１が密封的に固定されている。ダイアフラム５１はゴム状弾性材料からなるものであって、半球のドーム状に形成され、手指で押圧することによって容易に凹み、かつ所要の弾性復元力を有するものである。また、このダイアフラム５１は、ドーム状の本体部分の裾部５１ａが前記ポンプ装着孔１１６とポンプハウジング５２の間に密嵌されると共に、そこからケース本体１１の左右両側へ向けて延びる一対の舌片部５１ｂが、ビス５７によってケース本体１１に固定されている。
【００２９】
ポンプハウジング５２は、吸入ノズル５５から吸入弁５３を介してドーム状ダイアフラム５１で密閉されたポンプ室５ａに連通する吸入流路５２ａと、前記ポンプ室５ａから吐出弁５４を介して吐出ノズル５６へ連通する吐出流路５２ｂを有する。吸入ノズル５５は墨汁タンク１１Ｃ内に開口しており、吐出ノズル５６は、墨汁タンク１１Ｃと糸巻収納部１１Ａとの間を仕切る仕切壁１１８を貫通して、糸巻収納部１１Ａ内に、糸巻２におけるボビン２１の外周位置に臨んで開口している。仕切壁１１８における吐出ノズル５６の貫通部は、Ｏリング１１９で密封されている。
【００３０】
吸入弁５３及び吐出弁５４は、ばねによって一方向へ付勢された弁体からなるチェック弁であって、このうち吸入弁５３は、ポンプ室５ａが負圧になった時に開弁して、吸入ノズル５５からポンプ室５ａへ向かう墨汁の流れを許容し、それ以外は閉弁するものである。また、吐出弁５４は、ポンプ室５ａが加圧された時に開弁して、ポンプ室５ａから吐出ノズル５６へ向かう墨汁の流れを許容し、それ以外は閉弁するものである。
【００３１】
墨汁タンク１１Ｃには、ポンプ装置５のダイアフラム５１と隣接する位置に開設され密栓部材５８で開閉される墨汁注入孔１１７から、所定量の墨汁を封入することができる。密栓部材５８はゴム状弾性材料からなるものであって、細い連結部５８ａを介してドーム状ダイアフラム５１の裾部５１ａに連続しており、すなわちダイアフラム５１と一体に成形されたものであり、これによって密栓部材５８の紛失が防止されている。
【００３２】
図５に示されるように、トップ部材１２の糸繰り出し口１２ａには、かるこ７を挿入状態に係止することができる。そしてこのかるこ７には、糸巻２のボビン２１から引き出された糸３の先端が繋着されている。
【００３３】
図６は、かるこ７の構造を示す断面図である。すなわちこの図６に示されるように、かるこ７は、合成樹脂製の中空の柄７１と、この柄７１に着脱可能に固定された合成樹脂製の頭部７２と、インサート成形によって基部７３ａが頭部７２に埋設一体化され先端７３ｂ側が柄７１の先端内周７１ａから所定長さ突出した金属製の刺着針７３と、ピストン部７４ａが柄７１の内周に摺動自在に支持されて刺着針７３の外周を包囲する合成樹脂製の円筒状の保護筒７４と、この保護筒７４を柄７１の内周から外部へ押し出すように付勢する金属製のコイルスプリング７５とからなる。
【００３４】
かるこ７における保護筒７４は、刺着針７３の先端７３ｂが完全に隠れる位置よりも外側へは移動できないように、ピストン部７４ａと柄７１の先端内周７１ａの干渉によって抜け止めされている。そして、糸３は、保護筒７４の先端からその内周を通って、先端に形成した結び玉３ａが、この保護筒７４の周壁の一部に開設した糸結合孔７４ｂに繋着されている。また、保護筒７４の先端には、複数のガイド溝７４ｃが形成されている。
【００３５】
上述の構成を有する墨壷による墨打ち（線引き）を行う場合は、まず糸巻２のボビン２１に巻装された糸３に、適量の墨汁を供給し、付着させておく。この墨汁供給は、ポンプ装置５におけるドーム状ダイアフラム５１を手指で所要回数押すことにより行うことができる。
【００３６】
すなわち、手指で押されることによっていったん凹んだドーム状ダイアフラム５１が、その弾性により復元される過程では、ポンプ室５ａの容積が拡大して負圧になるので、吐出弁５４が閉弁すると共に吸入弁５３が開弁し、墨汁タンク１１Ｃ内の墨汁が、吸入ノズル５５からポンプ室５ａへ吸い上げられる。次に、ダイアフラム５１が押される過程では、ポンプ室５ａの容積が減少して加圧されることによって、吸入弁５３が閉弁すると共に吐出弁５４が開弁するので、ポンプ室５ａ内の墨汁が、吐出ノズル５６から糸巻収納部１１Ａ内の、ボビン２１に巻装された糸３へ向けて供給されるのである。糸３への墨汁の供給量は、ダイアフラム５１を押す回数によって、任意に調整できる。そして、供給された墨汁は、毛細管現象によって、ボビン２１に巻かれた糸３の全体に行きわたる。
【００３７】
なお、ボビン２１に巻装された糸３へ、ポンプ装置５によって確実に墨汁を供給するには、吐出ノズル５６の開口端部がボビン２１の真上に位置するように、ケース１を、そのトップ部材１２が下を向いた状態とすることが望ましい。このようにすれば、吐出ノズル５６から吐出された墨汁は、吐出ノズル５６の真下を通るように幾重にも巻かれた糸３へ滴下する。
【００３８】
ケース本体１１における糸巻収納部１１ＡはＯリング１４、２７、４８で密封されているので、糸巻収納部１１Ａからケース１の外部へ墨汁が漏れるようなことはなく、糸巻収納部１１Ａから糸挿通部１１４を介して墨汁が糸案内部１１Ｂへ流出しても、この墨汁は墨汁吸収体６に吸収される。また、ボビン２１とばね芯４１の間がパッキン２６で密封されているので、巻き取りばね２３の収納部へ墨汁やダストなどが侵入するようなこともない。
【００３９】
図７は、墨壷による墨打ち作業を示す説明図である。すなわち、この墨打ち作業においては、まず、かるこ７の刺着針７３を、相手材（木材）Ｗの表面における墨打ちの一方の起点に刺着する。このとき、刺着針７３が相手材Ｗに刺し込まれるのに伴って、保護筒７４は図６に示されるコイルスプリング７５を圧縮しながら柄７１へ没入することになる。そして、このコイルスプリング７５の圧縮反力によって、保護筒７４がその先端のガイド溝７４ｃを通っている糸３を、相手材Ｗに押し付ける。
【００４０】
次に、ケース１を墨打ちの他方の起点へ向けて移動させると、糸巻２の回転を伴いながら、そのボビン２１に巻かれた糸３が、ケース１の移動距離分だけ繰り出されて行く。この糸３は、糸案内部１１Ｂを通って繰り出される過程で、この糸案内部１１Ｂ内の墨汁吸収体６に摺接するので、糸３に付着した墨汁のムラが均され、均一に墨汁が付着した状態となる。また、ボビン２１に巻かれた糸３に墨汁を直接供給し、その付着状態を、糸巻２からの糸３の引き出し過程で、この墨汁吸収体６に摺接することによって均すものであるため、新品における最初の使用時であっても、糸３の引き出し及び巻き戻しを何度か繰り返すことによって墨汁を付着させる作業は不要である。
【００４１】
また、上述した糸３の繰り出しに伴って、ボビン２１が糸３の繰り出し方向へ回転されるのに対し、同方向へのばね芯４１の回転は、ワンウェイクラッチをなすクラッチ部材４３とクラッチ盤４１ａの掛合によって阻止されるので、巻き取りばね２３がボビン２１の回転に伴ってばね芯４１に巻き込まれ、蓄勢される。
【００４２】
ケース１を墨打ちの他方の起点まで移動させたら、このケース１のトップ部材１２の糸押え１２ｂの先端で糸３を押止することによって、糸３をかるこ７との間に張設し、この糸３を、相手材Ｗの表面に向けて指ではじいて打ち付けることによって、直線状の墨線を転写することができる。このとき、糸３には墨汁が過不足なく均一に付着しているので、必要以上に太く、あるいは、薄く斑らな線になったりせず、明瞭な墨打ち線を得ることができる。
【００４３】
墨打ち作業終了後は、かるこ７を相手材Ｗから引き抜けば、糸３の繰り出し過程で蓄勢された巻き取りばね２３の弛緩動作によって、糸巻２が巻き取り方向に回転するため、糸３は、かるこ７がトップ部材１２の糸繰り出し口１２ａに半収納状態に係止されるまで、ボビン２１に自動的に巻き取られる。
【００４４】
図５に示されるように、かるこ７がトップ部材１２の糸繰り出し口１２ａに半収納状態に係止されるまで、糸３をボビン２１に完全に巻き取った状態、あるいは図７に示されるように糸３を張設した状態においては、ばねチャージ部４によって、巻き取りばね２３の付勢力を任意に調整することができる。この調整においては、チャージハンドル４２に設けられたレバー４５の操作端部４５ａを、チャージハンドル４２の指掛け孔４２ｂ内に挿入した指先で押圧して、このレバー４５をコイルスプリング４７の付勢力に抗してシーソー運動させることにより、その被係止部４５ｂとスパイラル溝１１２の最深部との掛合を解除して、指掛け孔４２ｂ内に挿入した指先でチャージハンドル４２を巻き取りばね２３の蓄勢又は弛緩方向へ任意に回転させれば良い。
【００４５】
また、チャージハンドル４２の指掛け孔４２ｂから手指を離せば、チャージハンドル４２が巻き取りばね２３の弛緩方向へ回転する過程で、レバー４５の被係止部４５ｂがコイルスプリング４７の付勢力によって再びスパイラル溝１１２の最深部と掛合されるので、弛緩方向へのチャージハンドル４２の回転は、最大でも１回転で阻止される。
【図面の簡単な説明】
【００４６】
【図１】本発明に係る墨壷の好ましい実施の形態を示す一側面図である。
【図２】本発明に係る墨壷の好ましい実施の形態を示す他側面図である。
【図３】図１におけるIII−Ｏ−III’線に沿って切断した断面図である。
【図４】墨壷の糸巻及びばねチャージ部の構造を示す断面図である。
【図５】図３におけるＶ−Ｖ’線に沿って切断した断面図である。
【図６】かるこの構造を示す断面図である。
【図７】実施の形態による墨壷を用いた墨打ち作業を示す説明図である。
【符号の説明】
【００４７】
１  ケース
１１  ケース本体
１１Ａ  糸巻収納部
１１Ｂ  糸案内部（糸の引き出し・巻き戻し経路）
１１Ｃ  墨汁タンク
２  糸巻
２１  ボビン
２２  ばねケース
２３  巻き取りばね
２４  巻き取りハンドル
３  糸
４  ばねチャージ部
５  ポンプ装置（ポンプ部）
５１  ダイアフラム
５２  ポンプハウジング
５３  吸入弁
５４  吐出弁
５５  吸入ノズル
５６  吐出ノズル
５８  密栓部材
６  墨汁吸収体
７  かるこ（糸止着部）
【図１】
2006043801.tif 000003
【図２】
2006043801.tif 000004
【図３】
2006043801.tif 000005
【図４】
2006043801.tif 000006
【図５】
2006043801.tif 000007
【図６】
2006043801.tif 000008
【図７】
2006043801.tif 000009
【手続補正書】
【提出日】平成16年9月14日(2004.9.14)
【手続補正１】
【補正対象書類名】図面
【補正対象項目名】全図
【補正方法】変更
【補正の内容】
【図１】
2006043801.tif 000010
【図２】
2006043801.tif 000011
【図３】
2006043801.tif 000012
【図４】
2006043801.tif 000013
【図５】
2006043801.tif 000014
【図６】
2006043801.tif 000015
【図７】
2006043801.tif 000016